(57)【要約】【課題】燃料電池の温度分布を均一にする燃料電池システムを提供する。【解決手段】単位セル１を冷却するための冷媒が流れる冷媒流路１２を空気流路１１と交差するように設け、冷媒流路１２に冷媒を導入する冷媒内部導入マニホールド１３を可動部２４によって、空気流路１１の上流側となる冷媒内部導入マニホールド１３ａ、と下流側となる冷媒内部導入マニホールド１３ｂに分割し、流量制御弁３９、４０によって冷媒内部導入マニホールド１３ａ、１３ｂへ導入する冷媒流量を制御する。【選択図】        図５
2006216431.tif 000002
【特許請求の範囲】
【請求項１】
酸化剤ガスが流れる酸化剤ガス流路を有する酸化剤ガスセパレータと、
燃料ガスが流れる燃料ガス流路を有する燃料ガスセパレータと、
前記酸化剤ガスセパレータと前記燃料ガスセパレータとに挟持された電解質膜と、
前記酸化剤ガスセパレータと前記燃料ガスセパレータと前記電解質膜から構成された単位セルを冷却する冷却媒体が流れ、前記酸化剤ガスの流れ方向と交差するように配設した冷却媒体流路を有する冷却媒体セパレータと、
前記冷却媒体流路と連通し、前記冷却媒体流路に前記冷却媒体を導入する冷却媒体導入マニホールドと、を備えた燃料電池を有する燃料電池システムにおいて、
前記冷却媒体導入マニホールド内を前記酸化剤ガスの流れ方向と交差する方向に分割し、かつ前記冷却媒体導入マニホールド内を前記燃料電池の運転状態に基づいて移動可能な分割手段と、
前記分割手段によって分割された前記冷却媒体導入マニホールドに導入する冷却冷媒の流量を前記燃料電池の運転状態に基づいてそれぞれ制御する冷却媒体流量制御手段と、を備えたことを特徴とする燃料電池システム。
【請求項２】
前記単位セルの温度を検出する温度検出手段を備え、
前記分割手段は、前記温度検出手段で検出された前記単位セルの温度に基づいて前記冷却媒体導入マニホールド内を移動し、
前記冷却媒体流量制御手段は、前記温度検出手段で検出された前記単位セルの温度に基づいて前記分割した冷却媒体導入マニホールドへ導入する冷却媒体の流量を制御することを特徴とする請求項１に記載の燃料電池システム。
【請求項３】
前記温度検出手段は、前記分割した冷却媒体導入マニホールドの上流と下流にそれぞれ設けられ、前記冷却媒体の温度を検出し、
前記分割手段は、前記温度検出手段で検出された前記温度差に基づいて前記冷却媒体導入マニホールド内を移動し、
前記冷却媒体流量制御手段は、前記温度差に基づいて前記分割した冷却媒体導入マニホールドへ導入する冷却媒体の流量を制御することを特徴とする請求項２に記載の燃料電池システム。
【請求項４】
前記酸化剤ガスの湿度を検出する湿度検出手段を備え、
前記分割手段は、前記湿度検出手段で検出された前記酸化剤ガスの湿度に基づいて前記冷却媒体導入マニホールド内を移動し、
前記冷却媒体流量制御手段は、前記湿度検出手段で検出された前記酸化剤ガスの湿度に基づいて前記分割した冷却媒体導入マニホールドへ導入する冷却媒体の流量を制御することを特徴とする請求項１から３のいずれか一つに記載の燃料電池システム。
【請求項５】
前記酸化剤ガスの湿度が低くなる程、前記分割手段は、前記酸化剤ガス流路の上流側の前記冷却媒体導入マニホールドの領域を前記酸化剤ガス流路の下流側の前記冷却媒体導入マニホールドの領域よりも広くし、
前記酸化剤ガスの湿度が低くなる程、前記冷却媒体流量制御手段は、前記酸化剤ガス流路の上流側の前記冷却媒体導入マニホールドと連通する前記冷却媒体流路を流れる前記冷却媒体が、前記酸化剤ガス流路の下流側の前記冷却媒体導入マニホールドと連通する前記冷却媒体流路を流れる前記冷却媒体の流量よりも多くすることを特徴とする請求項４に記載の燃料電池システム。
【請求項６】
前記燃料電池の停止時に前記分割手段は、前記酸化剤ガス流路の上流側の前記冷却媒体導入マニホールドの領域を前記酸化剤ガス流路の下流側の前記冷却媒体導入マニホールドの領域よりも狭くし、
前記燃料電池の停止時に前記冷却媒体流量制御手段は、前記酸化剤ガス流路の上流側の前記冷却媒体導入マニホールドと連通する前記冷却媒体流路を流れる前記冷却媒体が、前記酸化剤ガス流路の下流側の前記冷却媒体導入マニホールドと連通する前記冷却媒体流路を流れる前記冷却媒体の流量よりも少なくすることを特徴とする請求項１から５のいずれか一つに記載の燃料電池システム。
【発明の詳細な説明】
【技術分野】
【０００１】
本発明は燃料電池システムに関するものであり、特に燃料電池の冷却に関するものである。
【背景技術】
【０００２】
燃料電池は、燃料の供給と燃焼性生物の排出とを連続的に行い、燃料の持つ化学エネルギーを直接電気エネルギーに変化する装置であり、発電効率の高さ、大気汚染物質の少なさ、騒音の少なさ等を特徴としている。
【０００３】
燃料電池の発電単位となる単電池（単位セル）は、電解質の両面にガス拡散電極を接合し、その両面にガス流路を備えたセパレータで狭持した構造をとる。燃料電池の発電原理は、このような構造を有する単電池の一方のガス拡散電極（燃料極）側に水素のような燃料ガスを、他方のガス拡散電極（酸素極）側に空気のような酸素を含む酸化剤ガスを流すことにより、燃料を酸化させ、その際の自由エネルギーの変化を単電池の両端に配したセパレータを介して、電気エネルギーとして取り出すものである。
【０００４】
このような燃料電池の出力とセル温度には密接な関係があり、最大出力を得るにはセル温度を最適に維持する必要があることはよく知られている。例えば、燃料ガスとして純水素ではなく改質ガスを用いる固体高分子型燃料電池の場合、セル温度が低すぎると、ガス拡散電極中の電極触媒が改質ガス中の一酸化炭素により被毒され、発電性能が低下する。また、セル温度が固体高分子電解質膜に含まれる加湿水の沸点以上の温度になると、水蒸気挙動が変化し、発電性能が低下する。また、セル温度が固体高分子電解質膜のガラス転移点以上の温度になると、電解質膜が変成し、発電性能が低下する。さらに、セル面内において、酸化剤ガスの出口側の温度が入口側に対して高くなる現象が確認されており、単電池内においても温度のばらつきが生じていることがよく知られている。また、劣化に伴い、温度分布のばらつき方が変化することが明らかとなっている。
【０００５】
従って、燃料電池では各単電池を最適温度に維持する必要があり、その冷却方法として、燃料ガス/酸化剤ガス流路に平行な冷却面を設け、そこに冷媒を流通させ、セパレータを介して冷却する方法がよく用いられている。特許文献１に開示されている燃料電池の構成では、セル面内における冷媒流路を複数系統備え、そこに流れる冷媒の流量及び流れ方向を制御することで、セル面内に生じる温度勾配を均一化している。
【特許文献１】特開平８−３２９９６０号公報
【発明の開示】
【発明が解決しようとする課題】
【０００６】
しかし、上記の発明では、冷媒流域が固定されており、種々の運転モード、つまり燃料電池の出力変化に伴う温度分布の変化に対応できない、といった問題点がある。
【０００７】
本発明ではこのような問題点を解決するために発明されたもので、種主の運転モードに応じて、冷却媒体が流れる領域を変化させ、燃料電池の温度均一にすることを目的とする。
【課題を解決するための手段】
【０００８】
本発明では、酸化剤ガスが流れる酸化剤ガス流路を有する酸化剤ガスセパレータと、燃料ガスが流れる燃料ガス流路を有する燃料ガスセパレータと、酸化剤ガスセパレータと燃料ガスセパレータとに挟持された電解質膜と、酸化剤ガスセパレータと燃料ガスセパレータと電解質膜から構成された単位セルを冷却する冷却媒体が流れ、酸化剤ガスの流れ方向と交差するように配設した冷却媒体流路を有する冷却媒体セパレータと、冷却媒体流路と連通し、冷却媒体流路に冷却媒体を導入する冷却媒体導入マニホールドと、を備えた燃料電池を有する燃料電池システムにおいて、冷却媒体導入マニホールド内を酸化剤ガスの流れ方向と交差する方向に分割し、かつ冷却媒体導入マニホールド内を燃料電池の運転状態に基づいて移動可能な分割手段と、分割手段によって分割された冷却媒体導入マニホールドに導入する冷却冷媒の流量を燃料電池の運転状態に基づいてそれぞれ制御する冷却媒体流量制御手段と、を備える。
【発明の効果】
【０００９】
本発明によると、冷却媒体流路が空気流路と交差するように設けた燃料電池を有する燃料電池システムにおいて、冷却媒体導入マニホールドを移動可能な分割手段によって分割し、分割された冷却媒体導入マニホールドに導入する冷却媒体の流量を制御するので、空気流路の上流側と下流側に冷却媒体の流れる領域を例えば燃料電池の出力に応じて変更し、冷媒流量を制御することで、燃料電池の温度を均一にすることができる。
【発明を実施するための最良の形態】
【００１０】
本発明の第１実施形態で用いる燃料電池スタック３０を構成する単位セル１について図１の概略構成図を用いて説明する。
【００１１】
単位セル１は、電解質膜２と、電解質膜２を挟持するアノード触媒層３ａとカソード触媒層３ｂと、アノード触媒層３ａとカソード触媒層３ｂの外側に設けたアノードガス拡散層４ａとカソードガス拡散層４ｂから構成される膜電極複合体５（ＭＥＡ：Ｍｅｍｂｒａｎｅ  Ｅｌｅｃｔｏｒｏｄｅ  Ａｓｓｅｍｂｌｙ）を備える。また、アノードガス拡散層４ａの外側に設けられたアノードセパレータ（燃料ガスセパレータ）６と、カソードガス拡散層４ｂの外側に設けられたカソードセパレータ（酸化剤ガスセパレータ）７を備える。また、カソードセパレータ７の外側に冷媒セパレータ（冷却媒体セパレータ）８を備える。さらにＭＥＡ５から水素または空気がリークしないようにエッジシール９を備える。
【００１２】
アノードセパレータ６は、アノードガス拡散層４ａに水素（燃料ガス）を拡散するための水素流路（燃料ガス流路）１０を備え、カソードセパレータ７は、カソードガス拡散層４ｂに空気（酸化剤ガス）を拡散するための空気流路（酸化剤ガス流路）１１を備える。水素流路１０と空気流路１１は直線状の流路であり、水素流路１０と空気流路１１は平行となるように配設され、単位セル１においては水素流路１０を流れる水素と空気流路１１を流れる空気の流れは逆方向となる。なお、水素流路１０と空気流路１１が交差するように設けても良い。
【００１３】
冷媒セパレータ８について図２を用いて詳しく説明する。図２は冷媒セパレータ８をカソードセパレータ７から見た正面図である。
【００１４】
冷媒セパレータ８は単位セル１を冷却する冷媒が流れる冷媒流路１２（図２中、１２ａ、１２ｂで示す）と、冷媒流路１２を形成するリブ部１２ｃ（図２中、斜線部）と、冷媒流路１２に冷媒を導入する冷媒内部導入マニホールド（冷却媒体導入マニホールド）１３と、冷媒流路１２から冷媒を排出する冷媒内部排出マニホールド１４を備える。また水素流路１０に水素を導入する水素導入マニホールド２０と、水素流路１０から単位セル１での発電反応で使用されなかった水素を排出する水素排出マニホールド２１と、空気流路１１に空気を導入する空気供給マニホールド２２と、空気流路１１から単位セル１での発電反応で使用されなかった空気などを排出する空気排出マニホールド２３を備える。
【００１５】
冷媒流路１２は例えば直線形状であり、空気流路１１を流れる空気の流れに対して交差するように配設する。
【００１６】
冷媒内部導入マニホールド１３（図２中、１３ａ、１３ｂで示す）、冷媒内部排出マニホールド１４（図２中、１４ａ、１４ｂで示す）の内部には、後述する可動部（分割手段）２４、２５がそれぞれ配設される。
【００１７】
次に単位セル１を積層した燃料電池スタック３０について図３、図４を用いて説明する。図３は燃料電池スタック３０の斜視概略図であり、図４は図３のＡ平面での断面図である。
【００１８】
燃料電池スタック３０は単位セル１を例えば１００〜２００枚積層したスタック部３１の両側にエンドプレート３２ｃ、３２ｄを備え、エンドプレート３２ｃ、３２ｄの外側から加圧し、タイロッド（図示せず）やボルト（図示せず）によって締結して構成される。なお、スタック部３１の面圧をバネなどによって一定となるようにしてもよい。また、燃料電池スタック３０は冷媒内部導入マニホールド１３内に冷媒を導入する冷媒導入マニホールド３３と、冷媒内部排出マニホールド１４から冷媒を排出する冷媒排出ホールド３４を備える。さらに、冷媒内部導入マニホールド１３を単位セル１の積層方向に分割する可動部２４と、冷媒内部排出マニホールド１４を単位セル１の積層方向に分割する可動部２５を備える。
【００１９】
ここで、可動部２４、２５について図４、または図５の単位セル１の分解概略図を用いて説明する。なお図５においては説明ためＭＥＡ５、アノードセパレータ６、カソードセパレータ７、冷媒セパレータ８、可動部２４、２５のみを示し、アノードセパレータ６については水素流路１１、カソードセパレータ７については空気流路１２の形状については省略する。また、冷媒流路１２の一部についても省略する。
【００２０】
可動部２４は、一方の端部２４ｃを一方のエンドプレート３２ｃに連結し、端部２４ｃはエンドプレート３２ｃに対して移動可能とする。もう一方の端部２４ｄを冷媒導入マニホールド３３に設けた仕切部３５の端部と伸縮性の連結部３６によって連結する。詳しくは図示しないがモータなどによって可動部２４の端部２４ｄを移動させることで、冷媒内部導入マニホールド１３を移動させることができる。なお、連結部３６が伸縮することで、可動部２４は滑らかに移動することができる。また可動部２４は剛性の高い部材とすることが望ましい。更に、可動部２４の幅は、隣り合う冷媒流路１２間の幅、つまりリブ部１２ｃ（図５中、斜線部）の幅よりも小さくする。これによって冷媒流路１２においてリブ部１２ｃによる圧損により、冷媒が流れ難くなる冷媒流路１２をなくすことができる。
【００２１】
この実施形態では可動部２４の一方の端部２４ｃをエンドプレート３２ｃに対して移動可能となるようにエンドプレート３２ｃに連結し、可動部２４が冷媒内部導入マニホールド１３内を空気流路１１の空気の流れと交差する方向へ自由に移動できるようにしたが、端部２４ｃをエンドプレート３２ｃに固定しても良い。
【００２２】
以下では、分割された冷媒内部導入マニホールド１３と冷媒内部排出マニホールド１４、冷媒流路１２において、空気流路１１の上流側にあたる領域を添え字ａで示し、空気流路１１の下流側にあたる領域を添え字ｂで示す。
【００２３】
可動部２４を冷媒内部導入マニホールド１３内で空気の流れ方向に移動させることで、冷媒内部導入マニホールド１３ａ、１３ｂの領域、つまり冷媒流路１２ａ、１２ｂの領域を変更することができる。
【００２４】
また、冷媒導入マニホールド３３は仕切部３５によって分割され、冷媒導入マニホールド３３ａ、３３ｂに後述する流量制御弁３９、４０によって、異なる流量の冷媒を導入することで、空気流路１１、または水素流路１０の上流側と下流側を異なる流量の冷媒によって冷却することができ、空気流路１１、または水素流路１０の上流側と下流側の温度をそれぞれ制御することができる。
【００２５】
なお、可動部２５についても可動部２４と同様の構成であり、冷媒内部排出マニホールド１４を分割し、冷媒流路１２ａ、１２ｂを通った冷媒を燃料電池スタック３０内で混合することなく、燃料電池スタック３０の外部へ排出する。また、可動部２４と可動部２５は冷媒内部導入マニホールド１３と冷媒内部排出マニホールド１４内において冷媒の流れ方向に対して略同一の位置となることが望ましい。冷媒の流れ方向に対して略同一の位置とすることで、冷媒流路１２内での圧力の急激な変化を防ぐことができ、燃料電池スタック３０の劣化を抑制することができる。
【００２６】
単位セル１を積層した燃料電池スタック３０を備えた燃料電池システムについて図６を用いて説明する。燃料電池システムは、冷媒を環流させるポンプ３７と、冷媒を冷却するラジエータ３８と、冷媒内部導入マニホールド１３ａへ流れる冷媒流量を制御する流量制御弁３９と、冷媒内部導入マニホールド１３ｂへ流れる冷媒流量を制御する流量制御弁４０と、を備える。また、燃料電池スタックに水素を供給する水素ボンベ４１と、空気を供給するコンプレッサ４２を備える。
【００２７】
また、燃料電池スタック３０の出力に応じてポンプ３７による冷媒の全体的な流量を制御し、流量制御弁３９、４０によって冷媒流路１２ａ、１２ｂを流れる冷媒流量を制御し、可動部２４、２５を移動させるモータ（図示せず）などを制御するコントローラ１００を備える。
【００２８】
燃料電池スタック３０は、燃料電池スタック３０の出力によって、燃料電池スタック３０内の温度分布に変化が生じる可能性があるが、可動部２４、２５を移動させることで、冷媒内部導入マニホールド１３ａ、１３ｂの領域を変化、つまり冷媒流路１２ａ、１２ｂの領域を変化させる。この実施形態では燃料電池スタック３０の出力などに応じて予め設定したマップなどから可動部２４、２５を移動させて冷媒内部導入マニホールド１３ａ、１３ｂ、冷媒内部排出マニホールド１４ａ、１４ｂの領域を変更する。また、可動部２４、２５は冷媒内部マニホールド１３、冷媒内部排出マニホールド１４内をリブ部１２ｃ間のみを移動し、可動部２４、２５が停止した際に可動部２４、２５が冷媒流路１２ａ、１２ｂの流路面積を小さくしないように移動する。これによって冷媒流路１２ａ、１２ｂにおいて圧損が大きくなることを防止することができ、燃料電池スタック３０の劣化を抑制することができる。
【００２９】
また、燃料電池スタック３０の出力などに基づいて流量制御弁３９、４０によって冷媒流路１２ａ、１２ｂを流れる冷媒流量を制御する。
【００３０】
例えば、空気流路１１の下流側の温度が高くなると予想される場合には、予め設定したマップに基づいて可動部２４、２５を移動させ、冷媒内部導入マニホールド１３ｂ、冷媒内部排出マニホールド１４ｂの領域を広くする。そして、冷媒流路１２ｂに流れる冷媒流量を多くすることで、空気流路１１の下流側の温度の上昇を抑制することができ、燃料電池スタック３０の温度を均一にすることができる。
【００３１】
可動部２４、２５の移動量は、例えば、
（冷媒流路１２ａ、１２ｂの幅＋リブ部１２ｃの幅）×ｎ    式（１）
とする。ｎは自然数であり、燃料電池スタック３０の出力、冷媒を冷却するラジエータ（図示しない）の冷却能力、単位セル１の大きさ、温度分布などからマップによりｎを設定し、可動部２４、２５の移動量を制御する。
【００３２】
燃料電池スタック３０では、空気流路１１の下流となるに従って発電反応によって生成された生成水によって空気流路１１を塞ぐ、フラッディングが生じ易くなるが、このような場合に空気流路１１の下流、つまり冷媒流路１２ｂを流れる冷媒流量が少なくなるように可動部２４、２５を移動させ、また流量制御弁３９、４０によって流量を制御することで、空気流路１１の下流の温度を高くし、空気流路１１の下流におけるフラッディングを抑制する。
【００３３】
また、燃料電池システムの停止の後に再起動する場合には、空気流路１１の下流において、特にフラッディングが生じ易くなる。そのためこの実施形態では、燃料電池システムの停止時に空気流路１１の下流付近を冷却しないように、冷媒内部導入マニホールド１３ｂを狭くし、流量制御弁４０によって冷媒内部導入マニホールド１３ｂに導入される流量を少なくする。これによって再起動時の空気流路１１の下流におけるフラッディングを抑制し、次回の燃料電池システムの起動時に素早く起動させることができる。また、氷点下での燃料電池スタック３０内での水の凍結を抑制することができる。
【００３４】
なお、冷媒を一時的に蓄える冷媒タンクを設けても良い。また、この実施形態では空気流路１１は直線形状としたが、直線部と折り返し部から構成されるサーペンタイン形状としても良い。この場合、空気の全体的な流れと冷媒流路１２とが交差するように冷媒流路１２を配設する。
【００３５】
また、冷媒内部導入マニホールド１３、冷媒内部排出マニホールド１４に可動部２４、２５をそれぞれ１つ設けたが、可動部を複数設けても良い。
【００３６】
本発明の第１実施形態の効果について説明する。
【００３７】
燃料電池スタック３０の冷媒内部導入マニホールド１３、冷媒内部排出マニホールド１４に冷媒内部導入マニホールド１３、冷媒内部排出マニホールド１４を空気流路１１の空気流れ方向に交差する方向に分割する可動部２４、２５を設け、さらに可動部２４、２５を冷媒内部導入マニホールド１３、冷媒内部排出マニホールド１４内で移動可能とする。また、冷媒内部導入マニホールド１３ａ、１３ｂにそれぞれ異なる流量の冷媒を流量制御弁３９、４０によって導入する。これによって、冷媒内部導入マニホールド１３ａ、１３ｂの領域を変更することができ、さらに冷媒内部導入マニホールド１３ａ、１３ｂ導入する冷媒流量を制御することで、冷媒流路１２ａ、１２ｂにおける冷却能力、つまり空気流路１１の上流側と下流側でそれぞれ温度を制御することができ、燃料電池スタック３０の温度を均一にすることができ、燃料電池スタック３０の発電効率を向上することができる。
【００３８】
空気流路１１の下流でフラッディングが生じ易い場合には、冷媒内部導入マニホールド１３ｂの領域を狭くし、冷媒流路１２ｂを流れる冷媒流量を少なくすることで、空気流路１１の下流の温度を高くすることができ、フラッディングを抑制することができる。また、電解質膜２が乾燥し易い場合には、特に空気流路１１の上流側の冷媒流量を多くすることで、電解質膜２の乾燥を抑制し、燃料電池スタック３０の劣化を抑制することができる。
【００３９】
また、燃料電池システムの停止時に、冷媒内部導入マニホールド１３ｂの領域を狭くし、冷媒流路１２ｂを流れる冷媒流量を少なくすることで空気流路１１の下流の温度が低下することを抑制し、次回の起動時に素早く起動することができる。また燃料電池スタック３０が氷点下となると、燃料電池スタック３０内で水が凍結する可能性があるが、停止時に空気流路１１内に残る水を少なくすることで、空気流路１１内での氷による閉塞を抑制し、氷点下起動時でも素早く燃料電池システムを起動させることができる。
【００４０】
次に本発明の第２実形態の燃料電池システムについて図７の概略図を用いて説明する。この実施形態は第１実施形態に加えて、冷媒導入マニホールド３３と冷媒排出マニホールド３４の上流、下流にそれぞれ冷媒の温度を検出する温度センサ４３、４４、４５、４６を備える。その他の構成については第１実施形態と同じ構成なので、ここでの説明は省略する。
【００４１】
この実施形態では、冷媒内部導入マニホールド１３ａ、１３ｂ、冷媒内部排出マニホールド１４ａ、１４ｂのそれぞれ上流と下流の冷媒の温度を検出し、検出した温度、またはそれぞれの上流と下流の温度差に基づいて流量制御弁３９、４０を制御することで冷媒流路１２ａ、１２ｂの冷媒流量を制御し、燃料電池スタック３０の温度を正確に制御することができる。
【００４２】
例えば、燃料電池スタック３０の出力に応じて、可動部２４、２５によって冷媒内部導入マニホールド１３ａ、１３ｂ、冷媒内部排出マニホールド１４ａ、１４ｂの領域を決定した場合に冷媒流路１２ａの温度センサ４３、４５によって検出した冷媒の温度が設定された温度であるが、冷媒流路１２ｂの温度センサ４４、４６によって検出した冷媒の温度が設定温度よりも高い場合には、冷媒流路１２ｂの冷却能力が不足していると判断し、流量制御弁４０の開度を大きくし、冷媒流路１２ｂへの冷媒流量を増加させる。
【００４３】
または、温度センサ４５と温度センサ４３との温度差、温度センサ４６と温度センサ４４の温度差が大きい場合には、冷媒の熱交換量が大きい、つまり燃料電池スタック３０の温度が高いので、冷媒流量を増加させる。
【００４４】
また、温度センサ４３、４４、４５、４６によって検出した温度、または温度差から予め設定したマップに基づいて可動部２４、２５を移動させて、冷媒内部導入マニホールド１３ａ、１３ｂ、冷媒内部排出マニホールド１４ａ、１４ｂの領域を変更し、冷媒流量を制御しても良い。
【００４５】
本発明の第２実施形態の効果について説明する。この実施形態では、第１実施形態の効果に加えて、以下の効果を得ることができる。
【００４６】
この実施形態では、冷媒内部導入マニホールド１３ａ、１３ｂ、冷媒内部排出マニホールド１４ａ、１４ｂのそれぞれ上流と下流に温度センサ４３、４４、４５、４６を備える。これによって冷媒内部導入マニホールド１３ａ、１３ｂに導入、または冷媒内部排出マニホールド１４ａ、１４ｂから排出される冷媒温度、つまり燃料電池スタック３０の温度分布を正確に検出することができ、燃料電池スタック３０の温度分布に応じて、素早く温度調整を行うことができる。これによって燃料電池スタック３０の温度をさらに均一にすることができ、燃料電池スタックの発電効率を更に向上することができる。
【００４７】
また、燃料電池スタック３０の温度分布を正確に検出するので、検出した温度に基づいて可動部２４、２５を移動させて冷媒内部導入マニホールド１３ａ、１３ｂ、冷媒内部排出マニホールド１４ａ、１４ｂの領域を変更し、冷媒流量を制御することで燃料電池スタック３０の温度をさらに均一にすることができ、燃料電池スタックの発電効率を更に向上することができる。
【００４８】
また、燃料電池スタックの温度を正確に検出するので、検出した温度に基づいてフラッディングや電解質膜２の乾燥を更に抑制することができる。
【００４９】
次に本発明の第３実形態の燃料電池システムについて図８の概略図を用いて説明する。この実施形態は第２実施形態に加えて、空気流路１１の上流と下流に湿度センサ（湿度検出手段）４７、４８を備える。その他の構成については第２実施形態と同じ構成なので、ここでの説明は省略する。この構成によって空気流路１１の湿度を正確に検出することができる。
【００５０】
例えば、湿度センサ４８の湿度が高い場合、つまり空気流路１１の下流の湿度が高い場合には、空気流路１１の下流でフラッディングが生じるので、湿度に基づいて予め設定したマップにより可動部２４、２５を移動させて、例えば湿度が高い程、冷媒内部導入マニホールド１３ｂの領域を狭くし、流量制御弁３９、４０を制御し、冷媒流路１２ｂを流れる冷媒流量を冷媒流路１２ａを流れる冷媒流量よりも少なくする。これによって、空気流路１１の下流側の温度を高くすることができ、空気流路１１の下流でのフラッディングを抑制することができる。なお、冷媒内部導入マニホールド１３ａへ導入する冷媒流量を流量制御弁３９によって制御することで、空気流路１１の上流側での温度、つまり湿度を制御することができ、燃料電池スタック３０の温度を均一にし、フラッディングを抑制することができる。
【００５１】
また、湿度センサ４７の湿度が低い場合には、空気が乾燥しており、電解質膜２が乾燥することで、電解質膜２の伝導性が低下し、燃料電池スタックの発電効率を低下させる恐れがあるが、この場合に湿度に基づいて予め設定したマップにより可動部２４、２５を移動させて、例えば湿度が低い程、冷媒内部導入マニホールド１３ａの領域を広くし、流量制御弁４３、４４を制御し、冷媒流路１２ａを流れる冷媒流量を冷媒流路１２ｂを流れる冷媒流量よりも多くする。これによって、空気流路１１の上流側の湿度を高くすることができ、電解質膜２の乾燥を抑制することができる。なお、冷媒内部導入マニホールド１３ｂへ導入する冷媒流量を流量制御弁４０によって制御することで、空気流路１１の下流側での温度、つまり湿度を制御することができ、燃料電池スタック３０の温度を均一にし、電解質膜２の乾燥を抑制することができる。
【００５２】
なお、湿度センサ４７、４８の代わりに露点センサを用いてもよい。
【００５３】
本発明の第３実施形態の効果について説明する。この実施形態では、第２実施形態の効果に加えて、以下の効果を得ることができる。
【００５４】
この実施形態では空気流路１１の上流と下流に湿度センサ４７、４８を備える。これによって、空気流路１１の湿度を検出し、その湿度に基づいて可動部２４、２５、流量制御弁３９、４０を制御することで、空気流路１１の湿度を正確に制御することができる。そのため、空気流路１１におけるフラッディングを更に抑制することができ、また電解質膜２の乾燥を更に抑制することができる。
【００５５】
本発明は上記した実施形態に限定されるものではなく、その技術的思想の範囲内でなしうるさまざまな変更、改良が含まれることは言うまでもない。
【産業上の利用可能性】
【００５６】
燃料電池スタックの負荷変動が激しい、燃料電池スタックを搭載した自動車などに利用することができる。
【図面の簡単な説明】
【００５７】
【図１】本発明の単位セルの概略構成図である。
【図２】本発明の冷媒セパレータの概略図である。
【図３】本発明の燃料電池スタックの斜視概略図である。
【図４】図３のＡ平面での断面図である。
【図５】本発明の単位セルの分解図である。
【図６】本発明の第１実施形態の燃料電池システムである。
【図７】本発明の第２実施形態の燃料電池システムである。
【図８】本発明の第３実施形態の燃料電池システムである。
【符号の説明】
【００５８】
１      単位セル
２      電解質膜
６      アノードセパレータ（燃料ガスセパレータ）
７      カソードセパレータ（酸化剤ガスセパレータ）
８      冷媒セパレータ（冷却媒体セパレータ）
１０    水素流路（燃料ガス流路）
１１    空気流路（酸化剤ガス流路）
１２    冷媒流路（冷却媒体流路）
１３    冷媒内部導入マニホールド（冷却媒体導入マニホールド）
１４    冷媒内部排出マニホールド
２４、２５    可動部（分割手段）
３９、４０    流量制御弁（冷却媒体流量制御手段）
４３、４４、４５、４６    温度センサ（温度検出手段）
４７、４８    湿度センサ（湿度検出手段）
１００  コントローラ
【図１】
2006216431.tif 000003
【図２】
2006216431.tif 000004
【図３】
2006216431.tif 000005
【図４】
2006216431.tif 000006
【図５】
2006216431.tif 000007
【図６】
2006216431.tif 000008
【図７】
2006216431.tif 000009
【図８】
2006216431.tif 000010